(57)【特許請求の範囲】
【請求項１】
表裏が扁平面からなる板状基部の表面に、正面から見て正方形または長方形の輪郭形状となるように板状基部の表面をプレスによって押し下げ、板状基部の内側へ折り曲げられる左右の側片と、該左右の側片間に設けられて前記板状基部の表面と平行な扁平面に設定した窪み部を、前記板状基部の表面に所定の間隔を隔てて複数形成してなり、
該窪み部の扁平面の下方の辺と、該下方の辺の下方で段違いに連なる板状基部の表面との間に段差部に一連に開放された開口部が形成されており、
前記窪み部が、前記開口部に掛止められる陳列品支持具の掛止片の厚みの薄い断面チャンネル状からなるフックの外側の扁平な片の全部を嵌合可能な大きさに設定されており、
前記掛止片の外側の片を前記窪み部に嵌め込み、前記外側の片を窪み部に沿ってスライドさせて垂直に押し下げて前記開口部に差し込んで掛止めるようになっていることを特徴とする陳列用パネル。
【請求項２】
板状基部の上下縁部に複数の該パネルを上下に重ねるための係止片をさらに形成してなることを特徴とする請求項１に記載の陳列用パネル。
【請求項３】
陳列用パネルが筒状に形成された板状基部からなっていることを特徴とする請求項１に記載の陳列用パネル。
【請求項４】
板状基部が筒状からなってポールを形成しており、該ポールの内部中空に照明灯を内蔵してなることを特徴とする請求項３に記載の陳列用パネル。
【請求項５】
板状基部が筒状からなってポールを形成しており、該ポールの上部に天井面に固定されたガイドレールに係合する摺動体を設け、下部に高さ調整可能な脚部を設けてなることを特徴とする請求項３または４に記載の陳列用パネル。
【発明の詳細な説明】
【０００１】
【発明の属する技術分野】
本発明は陳列品を支持する支持具を開口に係止し、着脱可能に保持させるための陳列用パネルに関する。
【０００２】
【従来の技術】
従来、この種のパネルとしてパネルに断面Ｌ状やＴ状のフランジを設けて掛止溝を形成し、該掛止溝に陳列品支持具のフックを掛止めるする陳列用パネルが種々提案されているが、構造的に複雑であり、また、露出面が装飾性に欠け、かつ製造コストも大きいなど必ずしも好ましいものではなかった。
【０００３】
【発明が解決しようとする課題】
したがって、本発明は構造的に簡単であり、露出面が平面性に優れ、装飾性の点でも有利で、製造コストを著しく軽減させることができる陳列用パネルを提供することを目的とする。
【０００４】
【課題を解決するための手段】
本発明は、上記課題の達成のため、表面が平坦な板状基部に、窪み部または突出部を設け、板状基部の表面と窪み部または突出部の扁平面との間の段差部に開口部を形成し、これら開口部に陳列品支持具の偏平な掛止片を差込んで取り付けることができるという手段を講じた。
すなわち、請求項１の発明では、
表裏が扁平面からなる板状基部の表面に、正面から見て正方形または長方形の輪郭形状となるように板状基部の表面をプレスによって押し下げ、板状基部の内側へ折り曲げられる左右の側片と、該左右の側片間に設けられて前記板状基部の表面と平行な扁平面に設定した窪み部を、前記板状基部の表面に所定の間隔を隔てて複数形成してなり、
該窪み部の扁平面の下方の辺と、該下方の辺の下方で段違いに連なる板状基部の表面との間に段差部に一連に開放された開口部が形成されており、
前記窪み部が、前記開口部に掛止められる陳列品支持具の掛止片の厚みの薄い断面チャンネル状からなるフックの外側の扁平な片の全部を嵌合可能な大きさに設定されており、
前記掛止片の外側の片を前記窪み部に嵌め込み、前記外側の片を窪み部に沿ってスライドさせて垂直に押し下げて前記開口部に差し込んで掛止めるようになっていることを特徴とする。
請求項２の発明では、
前記板状基部の上下縁部に複数の該パネルを上下に重ねるための係止片をさらに形成してなることを特徴とする。
請求項３の発明では、
陳列用パネルが筒状に形成された板状基部からなっていることを特徴とする。
また、請求項４の発明では、
前記板状基部が筒状からなってポールを形成しており、該ポールの内部中空に照明灯を内蔵してなることを特徴とする。
更に、請求項５の発明では、
前記板状基部が筒状からなってポールを形成しており、該ポールの上部に天井面に固定されたガイドレールに係合する摺動体を設け、下部に高さ調整可能な脚部を設けてなることを特徴とする。
【０００５】
このような構成からなる陳列用パネルにおいて、パネル基部の表面と窪み部（または突出部）の表面との段差部に開口部が穿設されており、その開口部に陳列品支持具の掛止片が挿入され係止される。
また、この開口部は陳列用パネル自体を柱または壁面に固定するのにも利用可能である。
更に、パネル基部は筒状に形成されて任意の方向に陳列品支持具を係止することができる。
【０００６】
【発明を実施する形態】
以下に、本発明の陳列用パネルの好適実施例を図面を参照しつつ説明する。
図１から図３に示す実施例の陳列用パネルは、両側縁が１８０度後側に折曲げられた縦長の板状基部１１からなり、その上下に亘って１列に横長の四角形状の窪み部１２が形成されている。
【０００７】
この窪み部１２はそれぞれ板状基部１１に、それぞれが上下に対向する複数対の切込みパターンを予め形成し、各対の切込み間の基板部分をプレス等により後方に後退させて作られたもので、その結果、これら切込み部が開き、後述するように陳列品支持具の一例を示す肉薄のハンガー部材Ｆの差込みが可能な開口部１３が上下に形成されている。
なお、本実施例においては、板状基部１１の上下端の開口部にそれぞれ、キャップ１５が被冠されるようになっている。
【０００８】
この陳列用パネルを壁面に取り付ける場合は、図４に示すように断面クランク形の取付けプレート１６を用いて行うことができる。即ち、取付けプレート１６の下部１６ａを取付け孔を介して予めビス１７等で壁面Ｗに固定しておき、ついで取付けプレート１６の上部１６ｂを開口部１３を介して例えば陳列用パネルの最上部の窪み部１２に差込むようにする。
【０００９】
なお、図４では陳列用パネルの上部の固定の方法を説明のため示しているが、陳列用パネルの下部も同様にして、同様の取付けプレート１６を用いて行い、これにより陳列用パネル全体を壁面Ｗに安定的に固定することができる。
この陳列用パネルを取り付けるための取付け具としては、図示例に限らず、開口部１３を利用して固定し得るものであれば特に限定されない。例えば、図５に示すように、下端１９が上方に折り返えされた取付けプレート２０のような構造のものであってもよく、これは取付けプレート１６の場合と同様に、ビス１７等で壁面に固定することができる。
なお、本実施例では板状基部の両側縁を折り返して壁面などの被取付面に衝合させる構造としたが、窪み部１２の背面を直接に被取付面に衝合させるように形成してもよい（図２参照）。
あるいは板状基部の背面に後方に突出する支承壁部を設け、該支承壁部を被取付面に衝合させ、窪み部は被取付面と接触しない構造としてもよい。
【００１０】
また、この陳列用パネルは上下縁部に係止片を設け、これにより複数の陳列用パネルを上下に重ね得るようにしてもよい。図６はその具体例を示しているもので、板状基部１１の上縁係止部２１は、窪み部１２と同様に全体的に後方に後退する窪んだ形で形成され、その上端部の後面が一部切欠されることにより形成された上部掛止部２１ａと、下端部の内面側が下向きに窪むようにして形成された下部掛止部２１ｂとを有する。
【００１１】
他方、板状基部１１の下縁係止部２２は、板状基部１１の後面に突設された先端下向きの逆Ｌ字形の上方掛止部２２ａと、下端部が後退するような形でクランク形に折曲されて形成された下方掛止部２２ｂとを有する。なお、図中２１ｃはビス止め用溝部である。
【００１２】
組立てに際しては、図示のように、上縁係止部２１の上部掛止部２１ａと、下縁係止部２２の上方掛止部２２ａとが相互に嵌合し、同時に上縁係止部２１の下部掛止部２１ｂと、下縁係止部２２の下部掛止部２１ｂとが相互に嵌合するようになっている。
窪み部１２の形状としては特に制限はなく、上記実施例のような横長形状のもの、あるいは一列のものに限らず、図７のように縦長のもの、また、図８に示すように複数列に配列させたものであってもよい。
【００１３】
以上の構成からなる陳列用パネルに対し、開口部１３を介して着脱自在に掛止される陳列品支持具としては各種構造のものがあり、開口部１３を介して掛止し得るものであれば特に限定されず、例えば図９に示すフック部材Ｆのように、板体を断面Ｓ字形に折曲げて作られたＳ字形フックＦ、図１０に示すように板体を断面Ｕ字形に折曲げ、その前方からほぼＬ字形のアームを突設させたＬ字形フックＦ、図１１および図１２に示すように全体または一部をワイヤーから構成させたワイヤー形フック部材Ｆなど、任意の形状のものを採用し得る。
【００１４】
なお、上記実施例では、フック部材Ｆなどの陳列品支持具を掛止させるための開口部１３としてほぼ四角形状のものについて説明したが、これに限らず、フックなどの掛止部材の差込み片が挿入、ないし摺動し得るものであればよい。
そして、上記構成において、窪み部１２の面は、掛止片Ｆ’と実質に同一角度に形成された面（図示例では平面）に形成されており、少なくともフックＦの掛止片Ｆ’の広面または掛止片Ｆ’がワイヤの場合にはその外周が形成する面と同一以上の広さの面に設定される。
なお、図示例に示すように、掛止片Ｆ’は、厚みの薄い断面チャンネル状のフックの外側の片からなっている。
【００１５】
これにより、上記掛止片Ｆ’を窪み部１２に嵌込み、窪み部１２の平面に沿わせてガイドして下にスライドさせて開口部１３にそのまま掛止片Ｆ’を挿入させることができる。
また、窪み部１２の下側に形成された開口部１３の下の面１１Ａ、または上下に連続する窪み部１２と窪み部１２の間の面１１Ａは、少なくともフック部材Ｆの掛止片Ｆ’の広面または掛止片Ｆ’がワイヤの場合にはその外周が形成する面と同一以上の広さの面に設定される。
【００１６】
従って、フック部材Ｆの掛止片Ｆ’が開口部に挿入された際に掛止片Ｆ’は窪み部１２と窪み部１２の間の面に覆われて外へ露出したり、窪み部１２の上部に設けた開口部から下へ突出する虞れがない。
さらに、上記実施例では、ハンガー、フックその他の陳列品支持具を掛止させるための開口部１３として、板状基部１１の表面と窪み部１２の表面との上下の段差部に設けたものについて説明したが、開口部１３は必ずしも上下になくても
よく、左右であってもよい。
【００１７】
このように開口部１３を対向して一対に設ける構造とすれば、成形時に窪み部を形成するための一対の切込みを成形後にそのまま開口部１３として用いることができる。
しかし、この発明では開口部１３は、窪み部１２の少なくとも下方に設けるものであればよい。
また、窪み部１２は掛止片Ｆ’が嵌込みできるものであれば正面形状は掛止片Ｆ’の形状に合わせ、またはそれ以上の任意の形状に形成することができる。
更に、この陳列パネルは、前後両面から利用することも可能である。
【００１８】
次に、図１３に示す陳列用パネルは、板状基部１１が断面正方形の四角筒形状のポールＰからなる異なる実施例を示す。
ここで、板状基部１１は、前後左右の四面のそれぞれに縦一列に窪み部１２を多数設けた形状からなっており、板状基部１１の表面と窪み部１２の表面との上下の段差部にスリット状の開口部１３がそれぞれ穿設されており、各面に陳列品支持具を取り付けることができる。
このポールＰは、四角柱に限らず、その他の多角柱であってもよい。
更にポールＰは外周面が湾曲する円柱や断面長円形の筒体であってもよく、この場合は掛止片Ｆ７がポールＰの外周面に沿わせて湾曲した形状からなればよい（図示せず）。
【００１９】
このポールＰを取付ける一例を説明すると、まず上部の天井面にガイドレール３０が固定される。
このガイドレール３０は、蟻溝３２を有し延出方向に延びる本体部３１と本体部前端で下方へ垂下する幕板部３５とからなっている。
本体部３１は、図示例の場合、蟻溝３２の溝底部の中央に直線状の延びる断面凹状のガイド溝３３を有しており、溝底部の側方は平坦な面としてもあるいは凹面として一部にガイド溝の上面と同一面に設定された支承用の突部を設ける構造としてもよい。
ポールＰの上部には、このガイド溝３３に嵌合する摺動体４０が嵌込み固定されている。
【００２０】
摺動体４０は、上記蟻溝３２に摺動可能に嵌合する矩形または長円形状の摺動プレート部４１と、該摺動プレート部４１の中央で前記ガイド溝３３に嵌合し摺動可能なレール状突部４２と、上記摺動プレート部４１の底面から垂下してポールＰの上部開口に嵌合する連結部４３とからなっている。
図示例の場合、連結部４３は、一対の垂下片からなって、ポールＰの上部開口内に隙間無く嵌合する。
なお、ここで摺動プレート部４１は、短手辺の長さが蟻溝３２に開口の幅より狭く、長手辺の長さが上記開口の幅より長く蟻溝内に嵌合可能な大きさに設定されているので、摺動プレート部４１の短手辺を蟻溝３２の開口に合わせて蟻溝内に挿入し、挿入後に９０度回転させて長手辺を蟻溝に係止させて取り付けられる。
【００２１】
一方、ポールＰの下端には、高さ調整可能な脚部５０を固定している。
該脚部５０は上部に連結部５１が形成されて、ポールＰの下端開口に隙間無く嵌め込まれ固定されており、該連結部５１には昇降自在に螺合したネジ部５２を有する脚台５３が取り付けられている。
従って、脚台５３を旋回してネジ部５２を上下方向に螺進退させて高さを調整することができる。
上記構成からなるポールＰには内部中空に蛍光灯、電球等の照明灯を内蔵することができる。
【００２２】
図１４の陳列用パネルでは、内部に蛍光灯Ｌを内蔵しており、点灯することにより開口部１３から光が漏れてポールＰの周りを照明することができる。
なお、図中５０’は供電用コード（図示せず）を有した蛍光灯取付用の脚台である。
また、このポールＰでは、各面の開口部１３に陳列品支持具の掛止片Ｆ’を係止することができるので、９０度間隔で所望の方向に陳列品支持具を取り付けることができる。
上記実施例では板状基板をポール状にした例を示したが、一方向に長い断面箱型形状にしてもよい。
なお、図１５及び図１６には、陳列品支持具の掛止構造の異なる実施例を示す。
この陳列品支持具６０を用いる陳列用パネルは、窪み部１２の上下に開口部１３、１３を有する構造からなっている。
【００２３】
そして、陳列品支持具６０は、ハンガー用の軸部６１を突設したベース部６２と、該ベース部６２の裏面に形成された係止片部６３とからなっており、該係止片部６３は窪み部１２の上下に配置された開口部１３、１３にそれぞれ差込可能な長さに設定されると共に、開口部１３が形成された段差部にそれぞれ係止する係止段部６４を形成しベース部６２と共に凹溝を設けた形状からなっている。
この場合には、掛止片となる係止片部６３は窪み部１２内に嵌め込まれることになる。
この発明において、ハンガー等の陳列品支持具の掛止め構造は前記実施例に限定されないのは勿論であり、１または複数の開口部に差し込まれて係止されるものであればよい。
【００２４】
また、陳列品支持具は、直接に陳列品を支持するものであると、陳列品を支持する部材を支持するものであるとを問わないし、この発明では更に、陳列用パネル相互を連結するためのものであってもよい。
本件発明では、これらの陳列品支持具の掛止片が１または複数の開口部で係止できる構造であれば、いかなる構造であってもよい。
また、陳列用パネルは図１７に示すように凹凸を逆にし、内側へ窪む窪み部に変えて、外側へ突出する突出部１２’とし、板状基板１１の表面と突出部１２’の表面との間の段差部に開口部１３を形成してもよい。
即ち、突出部１２’の扁平面の上方の辺と、該上方の辺の上方に連なる板状基板１１の表面との間に形成される段差部が一連に開放された開口部１３となっている。
この場合も前記実施例と同様に開口部１３に各種陳列品支持具Ｆ（または６０）の掛止片Ｆ’を掛止めることができる。
その他、この発明の要旨を変更しない範囲で種々設計変更しうること勿論である。
【００２５】
【発明の効果】
以上、説明したように本発明の陳列用パネルによれば、構造的に非常に簡単であり、製造コストを著しく軽減させることができ、また、孔開きの窪み部を利用しているから、その取付けも簡単に容易であり、さらに露出面が平面性に優れているので、外観上体裁が良く、さらに、この窪み部パターンを商品の表示部や装飾として利用することができる。
また、断面箱型や筒状にして用いる場合には、多方向に陳列品支持具を取り付けることができ、陳列スペースの有効利用を図ることができる。
【図面の簡単な説明】
【図１】  本発明の一実施例に係わる陳列用パネルの斜視図。
【図２】  図１の陳列用パネルの横断面図。
【図３】  図１の陳列用パネルの使用状態を示す縦断面図。
【図４】  取付けプレートを用いて陳列用パネルを固定した状態を示す断面図。
【図５】  取付けプレートの他の例を示す断面図。
【図６】  本発明の陳列用パネルの他の実施例を示す断面図。
【図７】  本発明の陳列用パネルの他の実施例を示す平面図。
【図８】  本発明の陳列用パネルの他の実施例を示す平面図。
【図９】  本発明の陳列用パネルとの関連で使用されるフック部材（陳列品支持具）を示す斜視図。
【図１０】  本発明の陳列用パネルとの関連で使用されるフック部材の例を示す斜視図。
【図１１】  本発明の陳列用パネルとの関連で使用されるフック部材の例を示す斜視図。
【図１２】  本発明の陳列用パネルとの関連で使用されるフック部材の例を示す斜視図。
【図１３】  陳列用パネルを筒状に形成して所望位置に配置できるようにした異なる実施例を示す斜視図。
【図１４】  照明灯を内蔵した陳列用パネルであって（ａ）は断面図、（ｂ）は正面図。
【図１５】  陳列用パネルとの関連で使用される陳列品支持具の異なる実施例を示す斜視図。
【図１６】  陳列用パネルに掛止片を取り付けた状態の例を示す断面図であって（ａ）は縦断面図、（ｂ）は横断面図。
【図１７】  窪み部に代えて突出部を設けた異なる実施例の断面図。
【符号の説明】
１１…板状基部
１２…窪み部
１３…開口部
１５…キャップ
１６…取付けプレート
１７…ビス
１８…取付け孔
２０…取付けプレート
２１…上縁係止部
２２…下縁係止部
【図１】
0003706418.tif 000002
【図２】
0003706418.tif 000003
【図３】
0003706418.tif 000004
【図４】
0003706418.tif 000005
【図５】
0003706418.tif 000006
【図６】
0003706418.tif 000007
【図７】
0003706418.tif 000008
【図８】
0003706418.tif 000009
【図９】
0003706418.tif 000010
【図１０】
0003706418.tif 000011
【図１１】
0003706418.tif 000012
【図１２】
0003706418.tif 000013
【図１３】
0003706418.tif 000014
【図１４】
0003706418.tif 000015
【図１５】
0003706418.tif 000016
【図１７】
0003706418.tif 000017
【図１６】
0003706418.tif 000018